(57)【要約】  ツイストロック１又は他の器具を、コンテナのコーナキャスティング５又は船のハッチカバーに取り付けられたコンテナ基部１０のような相手方５，１０に取り付けるためのロック機構であって、ツイストロック１又は他の器具は本体２を備える。本発明は、本体２に対して、相手方５内におけるツイストロック１又は他の器具の捻れが抑制されるロック位置と、相手方５内におけるツイストロック１又は他の器具の捻れが可能である開放位置との間で移動可能なロック部材３を備えたロック機構に適用される。【選択図】  図３
2019514769.tif 000002
【特許請求の範囲】
【請求項１】
本体（２）を備えるツイストロック（１）又は他の器具を、コンテナのコーナキャスティング（５）又は船のハッチカバーに取り付けられたコンテナ基部（１０）のような相手方（５，１０）に取り付けるためのロック機構であって、
前記本体（２）に対して、前記相手方内（５，１０）における前記ツイストロック（１）又は前記他の器具の捻れが抑制されるロック位置と、前記相手方内（５，１０）における前記ツイストロック（１）又は前記他の器具の捻れが可能である開放位置との間で移動可能なロック部材（３）を備えたことを特徴とする、ロック機構。
【請求項２】
前記ロック部材（３）が、前記ロック部材を持ち上げることにより、前記ロック位置から前記開放位置に移動可能であり、前記開放位置から前記ロック位置に下方に向かう反対の動作が重力により生じることを特徴とする請求項１に記載のロック機構。
【請求項３】
前記ロック部材（３）が、前記ロック位置において、前記相手方に対する捻れが抑制されるように、前記相手方（５，１０）の取付孔の内面（９，１３）に当接するように配置されることを特徴とする、請求項１又は２に記載のロック機構。
【請求項４】
前記ロック部材（３）が前記本体（２）上に固定されたガイドレール（４）に沿って移動するように設けられていることを特徴とする、請求項１から３のいずれか１項に記載のロック機構。
【請求項５】
前記ロック部材（３）は、前記ツイストロック（１）又は前記他の器具が、吊り下げられて上方からコンテナの前記コーナキャスティング（５）に取り付けられるように形成されているか、逆さまにコンテナ基部（１０）又はハッチカバーの対応するロック位置に取り付けられるように形成されており、双方の取付方式において、前記ロック部材（３）が重力によってロック位置に移動することを特徴とする、請求項１から４のいずれか１項に記載のロック機構。
【発明の詳細な説明】
【技術分野】
【０００１】
本発明の対象は、ツイストロック或いは他の器具を、コンテナのコーナキャスティング又は船のハッチカバーに取り付けられたコンテナ基部のような相手方に取り付けるための、本体を有するツイストロック又は他の器具のロック機構である。
【背景技術】
【０００２】
貨物船の上で、コンテナは、ハッチカバーの下の船倉に収容され、ハッチカバーの上のデッキにおいては、他のコンテナの上に平行な行列状かつ層状に配置されて輸送される。このため、デッキでは、ハッチカバーの下の船倉を閉じるハッチカバーは着脱可能である。デッキより上方に位置するコンテナはハッチカバーの上で輸送される。船のデッキにおいて、典型的には、ラッシングブリッジと呼ばれる取り付け構造があり、その上のいくつかのコンテナは別々のラッシングバーによって支持される。
【０００３】
本発明の対象はコンテナを互いにロックするためのツイストロックの操作に関連するロック構造であり、係るロック機構によって、ツイストロックは、コンテナのコーナキャスティング又はハッチカバー上において支持体のようないわゆるコンテナ基部（container foundation）に取り付けられる。
【０００４】
本発明の重要な点は、ツイストロックの「第１の」取り付け、つまり、ツイストロックがコンテナの下側角部のコーナキャスティング等に接続される段階にある。この後、同コンテナが他のコンテナ上に持ち上げられた場合に当ツイストロックは下側のコンテナの上側角部のコーナキャスティングをロックする。後者のロックは本発明に関する重要な点ではなく、これ以上ここで詳述されない。
【０００５】
本願発明が用いられるツイストロックは基本的な機能において、手動、半自動、又は全自動であり得る。本願発明は、また、ガイドコーン（実際のツイストロックではない）をコンテナ角部に取り付けるために用いることができる。機械的なレバーやケーブルによって手動で操作されるばね仕掛けのロック手段がツイストロックに用いられている。また、線形に動くバネ仕掛けのスライドが用いられている。
【０００６】
典型的には、レバー又はケーブルを引っ張ることにより、ロック手段は、ツイストロックがコンテナのコーナキャスティングに取り付け又は取り外しされるように、ツイストロックの本体に対して捻れ又は取り外される。レバー又はケーブルを解放することにより、ロック手段はバネの作用からロック位置に戻る。
【０００７】
本技術分野における既知の典型的な解決方法は、米国特許第５７５８３９１号に提示されている。また、本技術の状況に関して、芬国特許第１２４２２９号明細書を参照する。
【先行技術文献】
【特許文献】
【０００８】
【特許文献１】米国特許第５７５８３９１号明細書
【特許文献２】芬国特許第１２４２２９号明細書
【発明の概要】
【発明が解決しようとする課題】
【０００９】
レバー駆動又はケーブル駆動のロック手段は、複雑で製造費用が高い。ロック手段の操作はバネに基づくものであり、バネは損傷又は使用時に絡んで動かなくなる可能性があり、その場合にはツイストロックの操作が阻害される。最悪の場合には、コンテナを他のコンテナへのロックが失敗し、コンテナが海に落ちる可能性がある。また、ロック手段が機能しない場合にはコンテナを持ち上げる際にコンテナの基部上に取り付けられたツイストロックが離れて所定位置から外れる可能性がある。
【課題を解決するための手段】
【００１０】
本願発明の目的は、上述の欠点が当てはまらない、ツイストロックのための新たなロック機構を得ることである。本ロック機構は独立請求項１の特徴部分に記載された事項によって特徴づけられる。本願発明の好ましい実施形態は従属請求項に記載されている。
【００１１】
従って、本発明は、ツイストロック又は他の器具をコンテナのコーナキャスティング又は例えばハッチカバー上の対応する取付位置にロックされるようにするロック機構であり、ロック機構の操作は重力によって作動するロック手段に基づく。
【００１２】
本発明の一つの実施形態では、本発明の対象はロック機構であり、係るロック機構において、ロック手段は上下反転して取り付けられる場合にもツイストロックを所定位置にロックする形状とされている。言い換えると、ツイストロックは、下方から吊り下げられた姿勢でコンテナのコーナキャスティングに取り付けられるか、上方から反対の姿勢でコンテナ基部に取り付けられるか、他の取付位置に取り付けられるかされる機能を有する。
【発明の効果】
【００１３】
述べられ得る本発明のいくつかの利点は、安価で操作上の信頼性のある構造、より簡易な構造とされたツイストロックを含む。
【図面の簡単な説明】
【００１４】
以下に、添付の図面を参照して、いくつかの好ましい実施形態によって本発明をより詳細に説明する。
【００１５】
【図１】図１は、コンテナのツイストロック及びコーナキャスティングを示す。
【図２】図２は、ロック手段を開放位置として、コーナキャスティングの内側に持ち上げられて４５度捻られたツイストロックを示す。
【図３】図３は、ロック手段を開放位置として、コーナキャスティングの内側に持ち上げられて９０度捻られたツイストロックを示す。
【図４】図４は、ロック手段をロック位置として、コーナキャスティングの内側に持ち上げられて９０度捻られたツイストロックを示す。
【図５】図５は、互いに分離されたツイストロック及びコンテナ基部を示す。
【図６】図６は、ロック手段を開放位置として、コンテナ基部の内側に取り付けられて４５度捻られたツイストロックを示す。
【図７】図７は、ロック手段を開放位置として、コンテナ基部の内側に取り付けられて９０度捻られたツイストロックを示す。
【図８】図８は、ロック手段をロック位置として、コンテナ基部の内側に取り付けられて９０度捻られたツイストロックを示す。
【発明を実施するための形態】
【００１６】
ツイストロック１の主な構成要素は本体２とロック手段３である。ロック手段は、本体のガイドレール４に沿って本体に対して垂直方向にロック位置及び開放位置にスライドすることができる。
【００１７】
ツイストロック１が相手方に、例えば図１−４に示されるようなコンテナのコーナキャスティングに取り付けられている場合に、ロック手段３は開放位置に持ち上げられる。この場合に、ツイストロックの本体上に形成された支持コーン部６がコーナキャスティングの内側に配置された状態で、ツイストロックは９０度回転することができる。この結果、支持コーン部はコーナキャスティングの支持面７上に静止する。図４に示すように、ツイストロックは、ロック手段３を重力でロック位置に落とし混むことにより所定位置にロックされる。
【００１８】
船の振動中など、ツイストロックがコーナキャスティングに対して捻られそう場合に、ロック手段の側縁８がコーナキャスティングの中にある取付孔の内面に当接し、ツイストロックの離脱を招くようないかなる捻れも同時に抑制される。
【００１９】
本操作はツイストロックが、ハッチカバーの上に位置するコンテナ基部１０（図５−８）のような他の種類の相手方に取り付けられる場合に対応する。ツイストロック１がコンテナ基部１０に取り付けられる場合に、ロック手段３は開放位置に持ち上げられる。この場合ツイストロックは、ツイストロック本体に形成された支持コーン部６がコンテナ基部の内側にある状態で９０度回転することができる。この結果、上方に向かう揚力がツイストロックに作用した場合に、支持コーン部はコンテナ基部の支持面１１上に静止する。
【００２０】
ツイストロックはロック手段３を重力でロック位置に落とし込むことにより所定の位置にロックされる。ツイストロック１のロック手段３のロック位置は、図１−４に示したツイストロックがコンテナのコーナキャスティング５に取り付けられる場合と反対である。
【００２１】
船の振動中など、ツイストロックがコーナ基部１０に対して捻られそうな場合に、ロック手段の側縁１２がコーナ基部の中にある取付孔の内面１３に当接し、ツイストロックの離脱を招くようないかなる捻れも同時に抑制される。
【００２２】
上述の双方の取付状態において、ツイストロックの取り外しはロック手段３を開放位置に持ち上げて９０度回転させることによって生じる。
【００２３】
本発明の機構は、ロック位置が、ロック手段３の一つの可能な位置のみに適用されるように実装されてもよい。例えば、本ツイストロックの設置方法の一つの状態において、ロック位置は（ツイストロックの上下逆姿勢の取付けがない）一つの位置に限定される
【００２４】
各図は、ロック位置において両方向の捻りが抑制されたロック手段３を示している。代わりに、係る構造はロック手段が一つの方向の捻りが抑制されるように構成されてよく、例えばツイストロック１の本体形状が反対方向の捻りを抑制するようにされてもよい。
【００２５】
本ロック機構の使用は図に示されるツイストロックに限定されない。ロック機構はまたコンテナのコーナキャスティング又はコンテナ基部に接続される他の器具をロックするために用いてもよい。
【００２６】
各コンテナ層の最も下のコンテナはハッチカバーにツイストロックでロックされる。他のコンテナの上に積まれたコンテナは、互いにツイストロックでロックされる。
【００２７】
本発明が上述の実施形態に限定されず、本願の請求の範囲に記載された範囲内で変更可能であることが当業者に明確である。
【００２８】
他の特徴的特徴と併せて説明中に可能な範囲で提示された特徴は、必要に応じて、互いに別々に使用することもできる。
【図１】
2019514769.tif 000003
【図２】
2019514769.tif 000004
【図３】
2019514769.tif 000005
【図４】
2019514769.tif 000006
【図５】
2019514769.tif 000007
【図６】
2019514769.tif 000008
【図７】
2019514769.tif 000009
【図８】
2019514769.tif 000010
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
本体（２）を備えるツイストロック（１）又は他の器具を、コンテナのコーナキャスティング（５）又は船のハッチカバーに取り付けられたコンテナ基部（１０）のような相手方（５，１０）に取り付けるためのロック機構であって、
前記本体（２）に対して、前記相手方内（５，１０）における前記ツイストロック（１）又は前記他の器具の捻れが抑制されるロック位置と、前記相手方内（５，１０）における前記ツイストロック（１）又は前記他の器具の捻れが可能である開放位置との間で移動可能なロック部材（３）を備え、
前記ロック部材（３）が前記本体（２）上に固定されたガイドレール（４）に沿って移動するように設けられていることを特徴とする、ロック機構。
【請求項２】
前記ロック部材（３）が、前記ロック部材を持ち上げることにより、前記ロック位置から前記開放位置に移動可能であり、前記開放位置から前記ロック位置に下方に向かう反対の動作が重力により生じることを特徴とする請求項１に記載のロック機構。
【請求項３】
前記ロック部材（３）が、前記ロック位置において、前記相手方に対する捻れが抑制されるように、前記相手方（５，１０）の取付孔の内面（９，１３）に当接するように配置されることを特徴とする、請求項１又は２に記載のロック機構。
【請求項４】
前記ロック部材（３）は、前記ツイストロック（１）又は前記他の器具が、吊り下げられて上方からコンテナの前記コーナキャスティング（５）に取り付けられるように形成されているか、逆さまにコンテナ基部（１０）又はハッチカバーの対応するロック位置に取り付けられるように形成されており、双方の取付方式において、前記ロック部材（３）が重力によってロック位置に移動することを特徴とする請求項１から３のいずれか１項に記載のロック機構。
【国際調査報告】
2019514769.tif 000011
2019514769.tif 000012
2019514769.tif 000013
2019514769.tif 000014
2019514769.tif 000015